(57)【要約】      （修正有）【課題】バーベキューを楽しむのに十分満足できるセットを提供する。【解決手段】キャスターＷの付いた基盤Ｂの上に椅子入れ用の空間を有する枠ｆを取付け、その先後の側壁に設けた上拡がりの支持手段４、５の上端は取っ手６を兼ねた構造であるため、椅子入れに収納した椅子や加熱器具２、テーブル板７、８等を、上端の取っ手を持って容易に運搬できる。また、支持手段の上にテーブル板を載置できるので、テーブルを挟んで、バーベキューを楽しめる。また、テーブル板に商品を載せたりできるので、一時的に商品を載せたりして、展示にも兼用できる。加熱器具は、枠の上端に設ける。【選択図】図１
2018038589.tif 000002
【特許請求の範囲】
【請求項１】
キャスターのついた基盤の上に椅子入れ用の空間を有する枠を取付け、その前後の側壁に上拡がりの支持手段を取付け、この支持手段に載置されるテーブル板を備え、支持手段上端はハンドル（取っ手）を兼ねた構造を特徴とするバーベキューセット。
【請求項２】
前記枠の上端に、焜炉等の加熱器具を取付け、内部の空間には、複数の椅子を収納できることを特徴とする請求項１に記載のバーベキューセット。
【請求項３】
前記の枠の上端に、水平のバーを有するハンガーを備え、前記基盤上の前記枠以外の領域に、ビン類を収納する容器と飲食器具を収納する器具入れを備えたことを特徴とする請求項１又は請求項２に記載のバーベキューセット。
【請求項４】
前記基盤の下に、スライド構造の物入れを有し、また前記枠の側壁に、タオルやロール紙類を取付けるハンガーを設けたことを特徴とする請求項１、２又は請求項３に記載のバーベキューセット。
【発明の詳細な説明】
【技術分野】
【０００１】
本発明は、２〜４人が向かい合わせに座って不自由無くバーベキューを調理したりして楽しめる移送構造のバーベキューセットに関する。
【背景技術】
【０００２】
近年、自宅以外でバーベキューをして楽しむアウトドアライフが流行っている。このようなアウトドアライフを楽しむために、特許文献１のように、バーベキューに必要な器具を１又は複数のペール缶に収納して携行できるバーベキューセットが知られている。
【先行技術文献】
【特許文献】
【０００３】
実用新案登録第3003903 号
【発明の概要】
【発明が解決しようとする課題】
【０００４】
特許文献１の技術によると、最低限の品物は携行して現場で使用できるが、バーベキューライフに十分では無いため、バーベキューを楽しむのに十分で無く、満足できない。
本発明の技術的課題は、このような問題に着目し、バーベキューライフを楽しむのに十分満足できるセットを実現する。
【課題を解決するための手段】
【０００５】
本発明の技術的課題は次のような手段によって解決される。請求項１は、キャスターのついた基盤の上に椅子入れ用の空間を有する枠を取付け、その前後の側壁に上拡がりの支持手段を取付け、この支持手段に載置されるテーブル板を備え、支持手段上端はハンドル（取っ手）を兼ねた構造を特徴とするバーベキューセットである。
【０００６】
請求項２は、前記枠の上端に、焜炉等の加熱器具を取付け、内部の空間には、複数の椅子を収納できることを特徴とする請求項１に記載のバーベキューセットである。
【０００７】
請求項３は、前記の枠の上端に、水平のバーを有するハンガーを備え、前記基盤上の前記枠以外の領域に、ビン類を収納する容器と飲食器具を収納する器具入れを備えたことを特徴とする請求項１又は請求項２に記載のバーベキューセットである。
【０００８】
請求項４は、前記基盤の下に、スライド構造の物入れを有し、また前記枠の側壁に、タオルやロール紙類を取付けるハンガーを設けたことを特徴とする請求項１、２又は請求項３に記載のバーベキューセットである。
【発明の効果】
【０００９】
請求項１のように、キャスターの付いた基盤の上に椅子入れ用の空間を有する枠を取付け、その先後の側壁に上拡がりの支持手段の上端はハンドルを兼ねた構造であるため、椅子入れに収納した椅子や加熱器具、テーブル板等を、上端のハンドルを持って容易に運搬できる。また、前記支持手段の上にテーブル板を載置できるので、前記テーブルを挟んで、バーベキューを楽しめる。また、テーブル板に商品を載せたりできるので、一時的に商品を載せたりして、展示にも兼用できる。
【００１０】
請求項２のように、前記枠の上端に、加熱器具を取付け、内部の空間には、複数の椅子を収納する構造になっているので、枠の上端の加熱器具で肉を焼いたりして、バーベキューを楽しめる。また、前記枠の内部空間に収納した複数の椅子を取り出して、前記テーブル板の周りに配置し、座ることができる。
【００１１】
請求項３のように、前記の枠の上端にハンガーを備えてあるので、このハンガーを利用して肉挟みなどの調理器具を吊るすことできる。また、前記基盤上の前記枠以外の領域に、ビン類を収納する容器を備えてあるので、液体の入ったビン類を収納できる。また、飲食器具を収納する器具入れを備えてあるので、皿やコップなどの飲食器具を収納できる。
【００１２】
請求項４のように、前記基盤の下に、スライド構造の物入れを有するので、この物入れを引き出して、箸やナイフ、フォーク等を収納できる。また、前記枠の側壁に、タオルやロール紙類を取付けるハンガーを設けてあるので、タオルやロール紙類を手軽に使用できて便利である。
【図面の簡単な説明】
【００１３】
【図１】本発明によるバーベキューセットの構造を示す斜視図である。
【図２】本発明によるバーベキューセットの使用状態を示す側面図である。
【図３】本発明によるバーベキューセットの運搬状態を示す他の側面図である。
【発明を実施するための形態】
【００１４】
次に本発明によるバーベキューセットが実際上どのように具体化されるか実施形態を説明する。図１は本発明によるバーベキューセットを示す斜視図であり、前後左右にキャスターＷの付いた基盤Ｂに総てが搭載されている。この基盤Ｂの下面にはガイドＧ・Ｇが前後に対向配置されていて、両ガイドＧ・Ｇに案内されて引出される容器１には、包丁やナイフ・フォーク、箸などの調理器具が収納される。
【００１５】
基盤Ｂの上面中央には、椅子などの大型の道具を入れる内部空間を有する枠ｆを取付けてある。この枠ｆは、少なくとも前面と後面のように、対向する２面が側壁になっているが、３面でもよい。この枠ｆの上端には、ガスレンジなどの加熱器具２を取付け、この上で肉を焼いたり、煮物をする。木炭を使用する七輪などでもよい。また、この加熱器具２の下には、前後のガイドｇ・ｇに案内されるスライド板３が挿入されている。このスライド板３を  全部引き出すと次は鉛直に垂れ下がって永久磁石Ｍｇに吸着され、椅子等を収納する空間の蓋板となる。
なお、前記のスライド板３は前後にスライドのみが可能とし、椅子入れの蓋として、型持ち構造の扉を設けて、普通の蝶番で枠ｆに連結してもよい。
【００１６】
枠ｆの前後には上拡がりの支持手段４、５が取付けてあり、この支持手段４、５の上端ほ水平のバーで連結され、コの状に繋がっていて、このバーで取っ手６・６を兼ねている。取っ手６・６の上にテーブル板７・８が載っているが、このテーブル板７・８は、ヒンジ手段（蝶番）ｈ・ｈで、枠ｆの前後の側壁上端に連結されていて、１８０度回転して逆向きに倒すと、図３のように加熱器具２の上に重ねることができる。この状態では、取っ手６・６が露出するので、押したり引いたりして、バーベキューセットを運搬できる。
【００１７】
加熱器具２やスライド板３の下方は開いているので、図２のように、椅子９…を複数収納できる。椅子は、座板が円形でも四角形でも良いが、折り畳み式が好ましい。椅子９…を複数収納しても、上部に大きな空間Ａができるので、この空間Ａを利用してタッバー等の道具も収納できる。
前記の枠ｆの上端に、間隔を開けて、水平のバー１０を取付けてハンガーとして使用し、トングｍなどの器具を吊るす。前記基盤Ｂ上の前記枠ｆ以外の領域に、ビン１１類やペットボトル１２を収納する容器１３と皿などの飲食器具１４を収納する器具入れ１５を備えてある。
なお、支持手段４、５の傾斜バーには、ゴミや材料などを入れた袋１６などを吊るすのに好都合である。枠ｆの左右などの開いた部位にハンガー１７、１８、１９を設けておいて、手拭い２０やキッチンロールタオル２１、ティッシュロール２２などを吊るしておくと便利である。
【産業上の利用可能性】
【００１８】
以上のように、キャスター付きの基盤上に取付けた、内部空間を有する枠の前後に上拡がりの支持手段を縮付けて、その上端を水平のバー状の取っ手にしてあるので、基盤を押したり、引いたりすることができ、この取っ手の上にテーブル板を載せることで、数人で囲むようにして、バーベキューを楽しんだりできる。バーベキューに際して、肉類を焼いたりする加熱器具は、前記支持手段の上端に設けてある。
【符号の説明】
【００１９】
Ｗ  キャスター
Ｂ  基盤
Ｇ  ガイド
１  容器
ｆ  枠
２  加熱器具
ｇ  ガイド
３  スライド板
４・５  上拡がりの支持手段
６  取っ手
７・８  テーブル板
ｈ  ヒンジ手段（蝶番）
９…  椅子
Ａ  空間
ｍ  トング
１１  挟みなどの器具を吊るす。前記基盤Ｂ上の前記枠ｆ以外の領域に、ビン
１２  ペットボトル
１３  容器
１４  飲食器具
１５    器具入れ
１６  袋
２０  手拭い
２１  キッチンロールタオル
２２  ティッシュロール
【図１】
2018038589.tif 000003
【図２】
2018038589.tif 000004
【図３】
2018038589.tif 000005